(57)【要約】【課題】部品の嵌合後のがたつきが無く、係合部がクリープにより変形しても、保持力の低下および脱落を防止可能な嵌合構造を提供する。【解決手段】一方の部品に、少なくとも１辺が部品に接続された舌片状の係合部を備え、係合部には少なくとも１つの係止部を有しており、もう一方の部品に係止部と接触し部品同士を固定する係止爪を備え、係止爪は係合部との挿入方向と抜け方向とが斜面となる山形の形状をしており、ジョイント時に係合部に対して、係止爪と対向する位置に係合部の変形を抑制する抑止部を設けた。【選択図】図１
2014177972.tif 000002
【特許請求の範囲】
【請求項１】
少なくとも２つの部品を嵌合固定するジョイント構造であって、
一方の部品に、少なくとも１辺が部品に接続された舌片状の係合部（２）を備え、
前記係合部（２）には少なくとも１つの係止部（３）を有しており、
もう一方の部品に前記係止部（３）と接触し、部品同士を固定する係止爪（４）を備え、
前記係止爪（４）は、前記係合部（２）との挿入方向と抜け方向とが斜面となる山形の形状をしており、
ジョイント時に前記係合部（２）に対して、
前記係止爪（４）と対向する位置に前記係合部（２）の変形を抑制する抑止部（５）を設けたことを特徴とするジョイント構造。
【請求項２】
前記抑止部（５）は、前記係合部（２）の挿入の際に、前記抑止部（５）が弾性変形可能なように、前記係合部（２）の挿入方向と同方向に延伸したスリット（６）が設けられていることを特徴とする請求項１に記載のジョイント構造。
【請求項３】
前記係止爪（４）は、前記係合部（２）の抜け方向の前記係止爪（４）の斜面の少なくとも一部に、前記係合部（２）の抜け方向に対して直交する平面部（７）を有していることを特徴とする請求項１または２に記載のジョイント構造。
【発明の詳細な説明】
【技術分野】
【０００１】
本発明は、主に樹脂製品のジョイント構造に関する。
【背景技術】
【０００２】
従来、樹脂製品の弾性を利用し、互いに凹凸を有する樹脂製品を嵌め合せ、凹凸同士が係合することで互いの製品を固定する構造が提案されている。
【０００３】
図９および図１０は、従来のジョイント構造の一例を示したものである。係合穴を設けた係合部を有する部品と、係合爪を有する部品とが嵌合され、その際に係合部が係合爪を乗り越えて係合穴と係合爪が係合することで、互いの部品が固定される。この例では、係合爪の嵌合方向の後端側が、嵌合方向に対して垂直になっている。
【０００４】
また、図１１および図１２は、従来のジョイント構造の他の一例を示したものである。図９および図１０の例に対し、係合爪が嵌合方向に沿った断面視で山型の形状をしている。この例では、互いの部品が嵌合し、固定された状態では、係合部が係合爪の嵌合方向後端側の斜面と接触し、係合部が変形した状態で嵌合固定される。
【発明の概要】
【発明が解決しようとする課題】
【０００５】
しかしながら、図９および図１０に示した従来例では、互いの部品は製造上のばらつきを持つ部品同士であるため、係合穴と係合爪の間に隙間ができ、互いの部品にがたつきが生じてしまうという問題があった。
【０００６】
図１１および図１２に示した従来例は、係合穴と係合爪の間に隙間ができないよう、係合爪の嵌合方向後端側の斜面が、互いの製品のばらつきを吸収し、嵌合固定された状態で係合穴と係合爪が常に接触しているため、通常の嵌合状態では、互いの製品にがたつきが発生することは無いが、係合部が常に変形する状態となるため、樹脂製品である係合部に、経年劣化等によるクリープが発生し、保持力が低下してしまう可能性があった。
【０００７】
上記課題を解決する為に、本発明の目的は、部品の嵌合後のがたつきが無く、係合部がクリープにより変形しても、保持力の低下および脱落を防止可能な嵌合構造を提供することにある。
【課題を解決するための手段】
【０００８】
本発明は、上記目的を達成するために、以下の技術的手段を採用する。
【０００９】
請求項１に記載の発明は、少なくとも２つの部品を嵌合固定するジョイント構造であって、一方の部品に、少なくとも１辺が部品に接続された舌片状の係合部を備え、係合部には少なくとも１つの係止部を有しており、もう一方の部品に係止部と接触し、部品同士を固定する係止爪を備え、係止爪は、係合部との挿入方向と抜け方向とが斜面となる山形の形状をしており、ジョイント時に係合部に対して、係止爪と対向する位置に係合部の変形を抑制する抑止部を設けたことを特徴としている。
【００１０】
請求項２に記載の発明は、抑止部は、係合部の挿入の際に、抑止部が弾性変形可能なように、係合部の挿入方向と同方向に延伸したスリットが設けられていることを特徴としている。
【００１１】
請求項３に記載の発明は、係止爪は、係合部の抜け方向の係止爪の斜面の少なくとも一部に、係合部の抜け方向に対して直交する平面部を有していることを特徴としている。
【発明の効果】
【００１２】
請求項１に記載の発明によれば、少なくとも２つの部品が嵌合された状態で、係合部が弾性変形した状態で常に係止爪と接触しているため、係合部の弾性力により部品のがたつきが抑制される。さらに、係合部にクリープによる変形が発生しても、係合部に対して、係止爪と対向する位置に係合部の変形を抑制する抑止部を設けたため、保持力の低下および脱落を防止できる。
【００１３】
請求項２に記載の発明によれば、係合部の挿入の際に、抑止部が弾性変形可能なように、係合部の挿入方向と同方向に延伸したスリットを設けたことにより、係合部と一緒に抑止部も変形するため、部品の組付け性を向上することができる。
【００１４】
請求項３に記載の発明によれば、係止爪に、係合部の抜け方向の係止爪の斜面の少なくとも一部に、係合部の抜け方向に対して直交する平面部を設けたことにより、係合部にクリープによる変形が起きても、変形した状態で、係合部の一端と平面部が対向し、互いに係止する状態になるため、より係合部が脱落し難くなる。
【図面の簡単な説明】
【００１５】
【図１】本発明の実施形態におけるジョイント構造の嵌合前の状態を示す斜視図である。
【図２】本発明の実施形態におけるジョイント構造の嵌合後の状態を示す斜視図である。
【図３】本発明の実施形態におけるジョイント構造の嵌合後の状態を示す上面図である。
【図４】本発明の実施形態におけるジョイント構造の嵌合前の状態を示す断面図である。
【図５】本発明の実施形態におけるジョイント構造の嵌合後の状態を示す断面図である。
【図６】本発明の実施形態におけるジョイント構造の嵌合後の状態を示す拡大断面図である。
【図７】本発明を採用した採用例としての車両用空調コントロールユニットの斜視図である。
【図８】本発明を採用した採用例としての車両用空調ユニットの斜視図である。
【図９】従来のジョイント構造の嵌合前の状態を示す斜視図である。
【図１０】従来のジョイント構造の嵌合後の状態を示す断面図である。
【図１１】他の従来のジョイント構造の嵌合前の状態を示す斜視図である。
【図１２】他の従来のジョイント構造の嵌合後の状態を示す断面図である。
【発明を実施するための形態】
【００１６】
以下、本発明の実施の形態を図面に示す実施例に基づき詳細に説明する。
【００１７】
図１は、本発明のジョイント部１の嵌合前の状態を示している。ジョイント部１は、一方の部品に、穴状に設けられた係止部３を有する、一辺が部品と接続された舌片上の係合部２を有しており、他方の部品に、係止部３と係止するための係止爪４と、係止爪４に対して係合部２の板厚と同等の間隔をあけ、係止爪４を覆うように設けられたアーチ状の抑止部５を有している。また、抑止部５には、係合部の挿入方向に沿って、その後端側に２つのスリット６が設けられている。
【００１８】
図２および図３は、本発明のジョイント部１の嵌合後の状態を示している。係止部３と係止爪４が接触することで互いの部品を固定している。また、スリット６は、係合部２の幅に合わせて設けられている。
【００１９】
図４および図５は、それぞれジョイント部１の嵌合前後の断面図を示している。係合部２は、抑止部５と係止爪４の間を通り、係止爪４の乗り越えるようにして進み、係止爪４の頂点を乗り越えた後、係止部３の一端と係止爪４の挿入方向後端側の斜面とが常に接触することで互いの部品を係止する。また、抑止部５にスリット６を設けた事により、係合部２の挿入の際に、スリット６間の抑止部５が係合部２と共に弾性変形が可能となり、係合部２の挿入性が向上する。
【００２０】
図６は、ジョイント部１の嵌合状態での係止爪４周辺の拡大断面図を示している。通常の嵌合状態では、係止部３の一端と斜面が接触しているが、係合部２にクリープによる変形が発生した場合、係合部２は、図６の上では、上方に変形する。しかし、係合部２がクリープにより上方に変形する場合、係合部２と部品とを接合する接合部８を支点として変形するため、係止部３と係止爪４が離間するよりも先に係合部２と抑止部５とが接触することになり、嵌合状態が保たれる。また、係止爪４の挿入方向後端側には平面部７が設けられているため、係合部２の変形の過程上で、係止部３と平面部７とが対向し、互いに係止する状態になるため、より係合部２が脱落し難くなる。
【００２１】
上記の通り構成されるジョイント構造は、例えば、図７に示すような車両用空調コントロールユニットに用いることができる。また、図８に示すような車両用空調ユニットにも用いることができる。
【００２２】
本発明はこれらの採用例に限られず、ジョイント部にクリープによる変形が発生する材料を用いている製品に対しても有効である。
【符号の説明】
【００２３】
１  ジョイント部
２  係合部
３  係止部
４  係止爪
５  抑止部
６  スリット
７  平面部
【図１】
2014177972.tif 000003
【図２】
2014177972.tif 000004
【図３】
2014177972.tif 000005
【図４】
2014177972.tif 000006
【図５】
2014177972.tif 000007
【図６】
2014177972.tif 000008
【図７】
2014177972.tif 000009
【図８】
2014177972.tif 000010
【図９】
2014177972.tif 000011
【図１０】
2014177972.tif 000012
【図１１】
2014177972.tif 000013
【図１２】
2014177972.tif 000014